(57)【要約】【課題】動画ぼやけを低減し、高品質な動画像を表示する。【解決手段】電気光学装置は、表示領域を分割して得られる複数の部分領域に対して交替に且つ各部分領域における複数の走査線に対して順番に走査信号を供給する走査線駆動回路（１０４）と、各部分領域について、１フレーム期間をｎ（但し、ｎは３以上の奇数）個のフィールド期間に分割し、最初のフィールド期間を含む連続したｋ個（但し、ｋは１以上ｎ−１以下の自然数）のフィールド期間において、画像信号を供給すると共に、ｋ個のフィールド期間より後の（ｎ−ｋ）個のフィールド期間において、特定階調信号を供給し、且つ、画像信号及び特定階調信号の極性が、各部分領域についてフィールド期間毎に反転すると共に互いに隣接する部分領域で互いに異なるように、画像信号及び特定階調信号を供給する画像信号供給回路（３００、１０１）とを備える。【選択図】図８
2010156856.tif 000002
【特許請求の範囲】
【請求項１】
基板上の表示領域で互いに交差する複数のデータ線及び複数の走査線と、
前記データ線及び前記走査線に夫々電気的に接続された複数の画素部と、
前記表示領域を、前記走査線に沿う分割線により分割して得られる複数の部分領域について、前記複数の部分領域に対して交替に且つ各部分領域における前記複数の走査線に対して順番に、走査信号を供給する走査線駆動回路と、
前記複数の部分領域の各々について、表示データに係る垂直同期信号により規定される１フレーム期間をｎ（但し、ｎは３以上の奇数）個のフィールド期間に分割し、前記ｎ個のフィールド期間のうち最初のフィールド期間を含む連続したｋ個（但し、ｋは１以上ｎ−１以下の自然数）のフィールド期間の各々において、前記表示データに係る表示画像を前記部分領域に表示するための画像信号を、前記データ線を介して前記画素部に供給すると共に、前記ｎ個のフィールド期間のうち前記ｋ個のフィールド期間より後の（ｎ−ｋ）個のフィールド期間の各々において、前記部分領域に特定階調を表示するための特定階調信号を、前記データ線を介して前記画素部に供給し、且つ、前記画像信号及び前記特定階調信号の基準電位に対する極性が、前記複数の部分領域の各々について前記フィールド期間毎に反転すると共に前記複数の部分領域のうち互いに隣接する部分領域で互いに異なるように、前記画像信号及び前記特定階調信号を供給する画像信号供給回路と
を備えることを特徴とする電気光学装置。
【請求項２】
前記画像信号供給回路は、前記特定階調として黒色を表示するための黒信号を前記特定階調信号として供給することを特徴とする請求項１に記載の電気光学装置。
【請求項３】
前記画像信号供給回路は、前記ｋ個のフィールド期間のうち最初のフィールド期間において、前記画像信号に、当該画像信号及び前記特定階調に基づく補正電圧を加えることにより、前記画像信号を補正する補正手段を有することを特徴とする請求項１又は２に記載の電気光学装置。
【請求項４】
前記画像信号供給回路が前記ｎ個のフィールド期間のうち前記特定階調信号を前記画素部に供給するフィールド期間の個数を変更する変更手段を備えることを特徴とする請求項１から３のいずれか一項に記載の電気光学装置。
【請求項５】
基板上の表示領域で互いに交差する複数のデータ線及び複数の走査線と、
前記データ線及び前記走査線に夫々電気的に接続された複数の画素部と、
前記表示領域を、前記走査線に沿う分割線により分割して得られる複数の部分領域について、前記複数の部分領域に対して交替に且つ各部分領域における前記複数の走査線に対して順番に、走査信号を供給する走査線駆動回路と、
前記複数の部分領域の各々について、表示データに係る垂直同期信号により規定される１フレーム期間をｎ（但し、ｎは３以上の奇数）個のフィールド期間に分割し、前記ｎ個のフィールド期間のうちｋ個（但し、ｋは１以上ｎ以下の自然数）のフィールド期間の各々において、前記表示データに係る表示画像を前記部分領域に表示するための画像信号を、前記データ線を介して前記画素部に供給すると共に、前記ｎ個のフィールド期間のうち前記ｋ個のフィールド期間を除く（ｎ−ｋ）個のフィールド期間の各々において、前記部分領域に特定階調を表示するための特定階調信号を、前記データ線を介して前記画素部に供給し、且つ、前記画像信号及び前記特定階調信号の基準電位に対する極性が、前記複数の部分領域の各々について前記フィールド期間毎に反転すると共に前記複数の部分領域のうち互いに隣接する部分領域で互いに異なるように、前記画像信号及び前記特定階調信号を供給する画像信号供給回路と、
前記画像信号供給回路が前記ｎ個のフィールド期間のうち前記特定階調信号を前記画素部に供給するフィールド期間の個数を変更する変更手段と
を備えることを特徴とする電気光学装置。
【請求項６】
請求項１から５のいずれか一項に記載の電気光学装置を具備してなることを特徴とする電子機器。
【発明の詳細な説明】
【技術分野】
【０００１】
本発明は、例えば液晶装置等の電気光学装置、及び該電気光学装置を備えた、例えば液晶プロジェクタ等の電子機器の技術分野に関する。
【背景技術】
【０００２】
この種の電気光学装置の一例としての液晶装置では、領域走査駆動方式と呼ばれる駆動方式が提案されている（例えば特許文献１参照）。この駆動方式によれば、基板上の画像表示領域を走査線に沿った分割線によって分割して得られる複数の部分領域の各々において走査線が所定の周期で選択されるように、駆動回路によって各走査線に走査信号が逐次供給される。また、相隣接する部分領域の一方に形成された画素部と他方に形成された画素部とが、走査線が選択される周期で互いに異なる極性の画像信号に基づいて駆動されるように、駆動回路によって各データ線に画像信号が供給される。このような駆動方式によれば、複数の部分領域が例えば２つの部分領域である場合に、１フレーム期間に、各画素部に一画面を表示するための画像信号が極性を変えて２度書き込まれることとなる。
【０００３】
【特許文献１】特開２００４−１７７９３０号公報
【発明の開示】
【発明が解決しようとする課題】
【０００４】
しかしながら、上述した領域走査駆動方式では、１フレーム期間に、一画面を表示するための画像信号が極性を変えて画素部に複数回書き込まれるものの、画像表示領域には１フレーム期間に亘って同一の画像が表示される。このため、液晶装置によって動画を表示する場合、表示される画像の残像感が強くなって、例えば動きのある領域の輪郭部分がぼやけて見えるなどの動画ぼやけ（或いは動画ボケ）が生じてしまうおそれがあるという技術的問題点がある。尚、このような動画ぼやけは、上述した領域走査駆動方式に限られる問題ではなく、液晶装置のようなホールド型の表示特性を有する表示装置で発生し得る問題である。
【０００５】
本発明は、例えば上述した問題点に鑑みなされたものであり、例えば領域走査駆動方式が採用された電気光学装置において、動画ぼやけを低減でき、高品質な動画像を表示可能な電気光学装置及びそのような電気光学装置を備えた電子機器を提供することを課題とする。
【課題を解決するための手段】
【０００６】
本発明に係る第１の電気光学装置は上記課題を解決するために、基板上の表示領域で互いに交差する複数のデータ線及び複数の走査線と、前記データ線及び前記走査線に夫々電気的に接続された複数の画素部と、前記表示領域を、前記走査線に沿う分割線により分割して得られる複数の部分領域について、該複数の部分領域に対して交替に且つ各部分領域における前記複数の走査線に対して順番に、走査信号を供給する走査線駆動回路と、前記複数の部分領域の各々について、表示データに係る垂直同期信号により規定される１フレーム期間をｎ（但し、ｎは３以上の奇数）個のフィールド期間に分割し、前記ｎ個のフィールド期間のうち最初のフィールド期間を含む連続したｋ個（但し、ｋは１以上ｎ−１以下の自然数）のフィールド期間の各々において、前記表示データに係る表示画像を前記部分領域に表示するための画像信号を、前記データ線を介して前記画素部に供給すると共に、前記ｎ個のフィールド期間のうち前記ｋ個のフィールド期間より後の（ｎ−ｋ）個のフィールド期間の各々において、前記部分領域に特定階調を表示するための特定階調信号を、前記データ線を介して前記画素部に供給し、且つ、前記画像信号及び前記特定階調信号の基準電位に対する極性が、前記複数の部分領域の各々について前記フィールド期間毎に反転すると共に前記複数の部分領域のうち互いに隣接する部分領域で互いに異なるように、前記画像信号及び前記特定階調信号を供給する画像信号供給回路とを備える。
【０００７】
本発明に係る第１の電気光学装置では、基板上の表示領域に複数の画素部が、データ線及び走査線の交差に対応して例えばマトリクス状に配列される。各画素部は、液晶素子等の表示素子、及び該表示素子を駆動するための駆動素子として薄膜トランジスタ（Thin Film Transistor；以下適宜、“ＴＦＴ”と称する）等の画素スイッチング素子等を含んでなる。この場合、各画素部において、表示素子は画素スイッチング素子を介して走査線及びデータ線に電気的に接続される。
【０００８】
本発明に係る第１の電気光学装置の動作時には、走査線駆動回路によって走査線を介して画素部に走査信号が供給されると共に、画像信号供給回路によって、表示データに係る表示画像を表示するための画像信号がデータ線を介して画素部に供給される。これにより、画素部毎の例えば液晶素子等の表示素子が駆動され、表示領域における画像表示が行われる。
【０００９】
本発明に係る第１の電気光学装置では、例えば上述した領域走査駆動方式が採用されており、複数の走査線に対して次のように走査信号が供給される。
【００１０】
走査線駆動回路は、所定期間毎に走査信号を生成し、複数の部分領域に対して交替に且つ各部分領域における複数の走査線に、例えば線順次など、順番に走査信号を出力する。
【００１１】
例えば、複数の部分領域の総数が３である場合、第１の所定期間に、３つの部分領域のうち第１の部分領域に走査信号が供給され、第１の所定期間に続く第２の所定期間に、３つの部分領域のうち第２の部分領域に走査信号が供給され、第２の所定期間に続く第３の所定期間に、３つの部分領域のうち第３の部分領域に走査信号が供給される。そして、第３の所定期間に続く所定期間に、再び、第１の部分領域に走査信号が供給され、以降同様に繰り返される。
【００１２】
本発明では特に、画像信号供給回路は、各部分領域について、１フレーム期間をｎ（但し、ｎは３以上の奇数）個のフィールド期間（言い換えれば１／ｎフレーム期間）に分割し、このｎ個のフィールド期間のうち最初のフィールド期間を含む連続したｋ個（但し、ｋは１以上ｎ−１以下の自然数）のフィールド期間の各々において、画像信号をデータ線を介して画素部に供給すると共に、このｎ個のフィールド期間のうちｋ個のフィールド期間より後の（ｎ−ｋ）個のフィールド期間の各々において、特定階調を表示するための特定階調信号（例えば黒色を表示するための黒信号）を、データ線を介して画素部に供給する。更に、画像信号供給回路は、画像信号及び特定階調信号の基準電位に対する極性が、複数の部分領域の各々についてフィールド期間毎に反転すると共に複数の部分領域のうち互いに隣接する部分領域で互いに異なるように、画像信号及び特定階調信号を供給する。
【００１３】
例えば、ｎ＝３且つｋ＝２である場合、各部分領域では、１フレーム期間のうち第１のフィールド期間（即ち、１／３フレーム期間）及びこの第１のフィールド期間に続く第２のフィールド期間に、互いに極性が反転された画像信号が供給され、１フレーム期間のうち第２のフィールド期間に続く第３のフィールド期間に、例えば黒信号等の特定階調信号が、第２のフィールド期間における画像信号とは異なる極性で供給される。
【００１４】
例えば、ｎ＝３且つｋ＝１である場合、各部分領域では、１フレーム期間のうち第１のフィールド期間（即ち、１／３フレーム期間）に、一の極性を有する画像信号が供給され、１フレーム期間のうち第１のフィールド期間に続く第２のフィールド期間及びこの第２フィールド期間に続く第３のフィールド期間に、互いに極性が反転された例えば黒信号等の特定階調信号が供給される。この際、第２のフィールド期間においては、特定階調信号は、第１フィールド期間における画像信号とは異なる極性で供給される。
【００１５】
よって、各部分領域では、１フレーム期間において、表示データに係る表示画像が表示された後に、例えば黒色等の特定階調の画像（即ち、例えば黒色のベタ画像）が表示される。言い換えれば、各部分領域では、一の１フレーム期間に表示すべき表示画像と、この一の１フレーム期間に続く他の１フレーム期間に表示すべき表示画像との間に、例えば黒色等の特定階調の画像が挿入される。従って、例えば、表示領域に動画像を表示する際、表示領域に表示される表示画像を人間の目で観察すると、１フレーム期間毎に、例えば黒色等の特定階調の画像によって表示画像がリセットさたかのように見える。言い換えれば、表示領域に動画像を表示する際、表示領域に表示される表示画像の残像感が強いことによって、例えば動きのある領域の輪郭部分がぼやけて見えるなどの動画ぼやけ（或いは動画ボケ）が生じてしまうことを低減或いは防止できる。
【００１６】
更に、本発明では特に、各部分領域では、１フレーム期間をｎ（但し、ｎは３以上の奇数）個に分割してなるフィールド期間毎に、上述の如く、極性が反転されて画像信号及び特定階調信号が供給されるので、連続する２つの１フレーム期間では、各フィールド期間に供給される画像信号及び特定階調信号の極性は互いに異なる。
【００１７】
例えば、上述したｎ＝３且つｋ＝２である場合、各部分領域では、一の１フレーム期間のうち、第１のフィールド期間に正極性の画像信号が供給され、この第１のフィールド期間に続く第２のフィールド期間に負極性の画像信号が供給され、この第２のフィールド期間に続く第３のフィールド期間に、例えば黒信号等の特定階調信号が正極性で供給される。更に、一の１フレーム期間に続く他の１フレーム期間のうち、第１のフィールド期間に負極性の画像信号が供給され、この第１のフィールド期間に続く第２のフィールド期間に正極性の画像信号が供給され、この第２のフィールド期間に続く第３のフィールド期間に、例えば黒信号等の特定階調信号が負極性で供給される。即ち、一のフレーム期間における第１のフィールド期間に供給される画像信号と、他のフレーム期間における第１のフィールド期間に供給される画像信号とは互いに極性が異なり、一のフレーム期間における第２のフィールド期間に供給される画像信号と、他のフレーム期間における第２のフィールド期間に供給される画像信号とは互いに極性が異なり、一のフレーム期間における第３のフィールド期間に供給される特定階調信号と、他のフレーム期間における第３のフィールド期間に供給される特定階調信号とは互いに極性が異なる。
【００１８】
よって、例えば、一の１フレーム期間における表示画像と該一の１フレーム期間に続く他の１フレーム期間における表示画像とが殆ど或いは全く同じ場合であっても、一の極性に偏った不要な電荷が画素部に残留してしまうことを防止できる。更に、仮に特定階調信号が連続する２つのフレーム期間で互いに同じ極性である場合において生じ得る、特定階調信号に起因する画素部における不要な電荷の残留を防止できる。従って、画素部に不要な電荷が残留することによる表示上の不具合の発生を防止できる。
【００１９】
以上説明したように、本発明に係る第１の電気光学装置によれば、例えば領域走査駆動方式が採用された電気光学装置において、動画ぼやけを低減でき、高品質な動画像を表示することができる。
【００２０】
本発明に係る第１の電気光学装置の一態様では、前記画像信号供給回路は、前記特定階調として黒色を表示するための黒信号を前記特定階調信号として供給する。
【００２１】
この態様によれば、各部分領域では、１フレーム期間において、表示データに係る表示画像が表示された後に、黒表示が行われる。言い換えれば、各部分領域では、一の１フレーム期間に表示すべき表示画像と、この一の１フレーム期間に続く他の１フレーム期間に表示すべき表示画像との間に、黒色画像が挿入される。よって、表示領域に動画像を表示する際における動画ぼやけの発生を確実に低減或いは防止できる。
【００２２】
本発明に係る第１の電気光学装置の他の態様では、前記画像信号供給回路は、前記ｋ個のフィールド期間のうち最初のフィールド期間において、前記画像信号に、当該画像信号及び前記特定階調に基づく補正電圧を加えることにより、前記画像信号を補正する補正手段を有する。
【００２３】
この態様によれば、１フレーム期間のうち画像信号を供給する最初のフィールド期間において、例えば、表示データの階調に対応する電圧よりも高い電圧が画素部における例えば液晶素子等の表示素子に印加されるように、補正手段によって画像信号に対して補正電圧を加えて、補正済みの画像信号を画素部に供給する。即ち、１フレーム期間のうち画像信号を供給する最初のフィールド期間において、所謂「オーバードライブ」が行われる。よって、例えば液晶等の電気光学物質の見かけ上の或いは実質的な応答速度を高めることができ、表示領域に動画像を表示する際における動画ぼやけの発生を確実に低減或いは防止できる。
【００２４】
ここで、この態様では特に、補正手段は、典型的には画像信号に対応する階調と特定階調と差に応じた電圧である、画像信号及び特定階調に基づく補正電圧を、画像信号に加えることにより、画像信号を補正する。よって、例えば、一の１フレーム期間において画素部に供給すべき画像信号を、該一の１フレーム期間の直前の１フレーム期間に画素部に供給された画像信号（言い換えれば、直前の１フレーム期間において表示領域に表示された表示画像）に基づいて、所謂「オーバードライブ」等の補正を行う場合と比較して、例えば直前のフレーム期間に供給された画像信号を例えばメモリ等の記憶手段に記憶しておく必要がなく、補正手段或いは画像信号供給回路全体をより簡易な構成とすることができる。
【００２５】
本発明に係る第１の電気光学装置の他の態様では、前記画像信号供給回路が前記ｎ個のフィールド期間のうち前記特定階調信号を前記画素部に供給するフィールド期間の個数を変更する変更手段を備える。
【００２６】
この態様によれば、例えば、当該電気光学装置を使用するユーザは、画像信号供給回路が１フレーム期間を構成するｎ個のフィールド期間のうち特定階調信号を供給するフィールド期間の個数を、変更手段によって変更することができる。よって、例えば、動画ぼやけが殆ど或いは全く発生しない静止画像や動きが遅い動画像を表示する場合には、特定階調信号を供給するフィールド期間の個数を少なくする（或いはゼロにする）ことにより、画像の輝度を高めることができたり、動画ぼやけが発生しやすい動きが速い動画像を表示する場合には、特定階調信号を供給するフィールド期間の個数を多くすることにより、動画ぼやけを低減する効果を高めることができたりするなど、実践上大変便利である。
【００２７】
本発明に係る第２の電気光学装置は上記課題を解決するために、基板上の表示領域で互いに交差する複数のデータ線及び複数の走査線と、前記データ線及び前記走査線に夫々電気的に接続された複数の画素部と、前記表示領域を、前記走査線に沿う分割線により分割して得られる複数の部分領域について、前記複数の部分領域に対して交替に且つ各部分領域における前記複数の走査線に対して順番に、走査信号を供給する走査線駆動回路と、前記複数の部分領域の各々について、表示データに係る垂直同期信号により規定される１フレーム期間をｎ（但し、ｎは３以上の奇数）個のフィールド期間に分割し、前記ｎ個のフィールド期間のうちｋ個（但し、ｋは１以上ｎ以下の自然数）のフィールド期間の各々において、前記表示データに係る表示画像を前記部分領域に表示するための画像信号を、前記データ線を介して前記画素部に供給すると共に、前記ｎ個のフィールド期間のうち前記ｋ個のフィールド期間を除く（ｎ−ｋ）個のフィールド期間の各々において、前記部分領域に特定階調を表示するための特定階調信号を、前記データ線を介して前記画素部に供給し、且つ、前記画像信号及び前記特定階調信号の基準電位に対する極性が、前記複数の部分領域の各々について前記フィールド期間毎に反転すると共に前記複数の部分領域のうち互いに隣接する部分領域で互いに異なるように、前記画像信号及び前記特定階調信号を供給する画像信号供給回路と、前記画像信号供給回路が前記ｎ個のフィールド期間のうち前記特定階調信号を前記画素部に供給するフィールド期間の個数を変更する変更手段とを備える。
【００２８】
本発明に係る第２の電気光学装置によれば、上述した本発明に係る第１の電気光学装置と概ね同様に、例えば領域走査駆動方式が採用された電気光学装置において、動画ぼやけを低減でき、高品質な動画像を表示することができる。ここで特に、例えば、当該電気光学装置を使用するユーザは、画像信号供給回路が１フレーム期間を構成するｎ個のフィールド期間のうち特定階調信号を供給するフィールド期間の個数を、変更手段によって変更することができる。よって、例えば、動画ぼやけが殆ど或いは全く発生しない静止画像や動きが遅い動画像を表示する場合には、特定階調信号を供給するフィールド期間の個数を少なくする、或いは、ゼロにする（即ち、特定階調信号を供給しない）ことにより、画像の輝度を高めることができたり、動画ぼやけが発生しやすい動きが速い動画像を表示する場合には、特定階調信号を供給するフィールド期間の個数を多くすることにより、動画ぼやけを低減する効果を高めることができたりするなど、実践上大変便利である。
【００２９】
本発明の電子機器は上記課題を解決するために、上述した本発明の電気光学装置（但し、その各種態様も含む）を具備する。
【００３０】
本発明の電子機器によれば、上述した本発明の電気光学装置を具備してなるので、高品質な画像表示を行うことが可能な、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置、電子放出装置（Field Emission Display及びConduction Electron-Emitter Display）、これら電気泳動装置、電子放出装置を用いた表示装置を実現することも可能である。
【００３１】
本発明の作用及び他の利得は次に説明する実施するための最良の形態から明らかにされる。
【発明を実施するための最良の形態】
【００３２】
以下では、本発明の実施の形態について図を参照しつつ説明する。以下の実施形態では、本発明の電気光学装置の一例である駆動回路内蔵型のＴＦＴアクティブマトリクス駆動方式の液晶装置を例にとる。
【００３３】
＜第１実施形態＞
第１実施形態に係る液晶装置について、図１から図１０を参照して説明する。
【００３４】
先ず、本実施形態に係る液晶装置における液晶パネルの全体構成について、図１及び図２を参照して説明する。
【００３５】
図１は、本実施形態に係る液晶装置における液晶パネルの構成を示す平面図であり、図２は、図１のＨ−Ｈ’断面図である。
【００３６】
図１及び図２において、本実施形態に係る液晶パネル１００では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、本発明に係る「表示領域」の一例としての画像表示領域１０ａの周囲に位置するシール領域に設けられたシール材５２により相互に接着されている。
【００３７】
図１において、シール材５２が配置されたシール領域の内側に並行して、画像表示領域１０ａの額縁領域を規定する遮光性の額縁遮光膜５３が、対向基板２０側に設けられている。周辺領域のうち、シール材５２が配置されたシール領域の外側に位置する領域には、データ線駆動回路１０１及び外部回路接続端子１０２がＴＦＴアレイ基板１０の一辺に沿って設けられている。また、走査線駆動回路１０４は、この一辺に隣接する２辺に沿ったシール領域の内側に、額縁遮光膜５３に覆われるようにして設けられている。また、ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。
【００３８】
ＴＦＴアレイ基板１０上には、外部回路接続端子１０２と、データ線駆動回路１０１、走査線駆動回路１０４、上下導通端子１０６等とを電気的に接続するための引回配線９０が形成されている。
【００３９】
図２において、ＴＦＴアレイ基板１０上には、駆動素子である画素スイッチング用のＴＦＴや走査線、データ線等の配線が作り込まれた積層構造が形成されている。画像表示領域１０ａには、画素スイッチング用ＴＦＴや走査線、データ線等の配線の上層に画素電極９がマトリクス状に設けられている。画素電極９上には、配向膜が形成されている。他方、対向基板２０におけるＴＦＴアレイ基板１０との対向面上に、遮光膜２３が形成されている。遮光膜２３は、例えば遮光性金属膜等から形成されており、対向基板２０上の画像表示領域１０ａ内で、例えば格子状等にパターニングされている。そして、遮光膜２３上に、ＩＴＯ（Indium Tin Oxide）等の透明材料からなる対向電極２１が複数の画素電極９と対向してベタ状に形成されている。対向電極２１上には配向膜が形成されている。また、液晶層５０は、例えば一種又は数種類のネマティック液晶を混合した液晶からなり、これら一対の配向膜間で、所定の配向状態をとる。
【００４０】
尚、ここでは図示しないが、ＴＦＴアレイ基板１０上には、データ線駆動回路１０１、走査線駆動回路１０４の他に、製造途中や出荷時の当該液晶装置の品質、欠陥等を検査するための検査回路、検査用パターン等が形成されていてもよい。
【００４１】
次に、本実施形態に係る液晶装置の全体構成について、図３を参照して説明する。
【００４２】
図３は、本実施形態に係る液晶装置の全体構成を示すブロック図である。
【００４３】
図３において、本実施形態に係る液晶装置は、主要部として、図１及び図２を参照して上述した液晶パネル１００、画像信号処理回路３００、第１フレームメモリ６２及び第２フレームメモリ６３、タイミング制御回路４００、並びに電源回路７００を備えている。
【００４４】
タイミング制御回路４００は、各部で使用される各種タイミング信号を出力するように構成されている。タイミング制御回路４００は、外部から供給される水平同期信号Ｈｓ、垂直同期信号Ｖｓ及びドットクロックＤＣＬＫに基づいて、Ｙクロック信号ＣＬＹ、反転Ｙクロック信号ＣＬＹｉｎｖ、Ｘクロック信号ＣＬＸ、反転Ｘクロック信号ＸＣＬｉｎｖ、ＹスタートパルスＤＹ及びＸスタートパルスＤＸを生成する。更に、タイミング制御回路４００は、後述する走査信号の出力タイミングを決定する３種のイネーブル信号ＥＮＢ１、ＥＮＢ２及びＥＮＢ３を生成する。
【００４５】
本実施形態では、本発明に係る「画像信号供給回路」の主要部には、画像信号処理回路３００並びに第１フレームメモリ６２及び第２フレームメモリ６３に加えてデータ線駆動回路１０１（図１及び図４参照）が含まれる。
【００４６】
画像信号処理回路３００は、外部から入力される表示データＤＡＴＡに対して所定の処理を施した後、ＤＡ（Digital to Analog）変換することにより画像信号ＶＩＤを生成して、液晶パネル１００に供給する。
【００４７】
具体的には、画像信号処理回路３００は、表示データＤＡＴＡに基づいて、２種のフィールドデータを生成し、該生成した２種のフィールドデータを第１フレームメモリ６２及び第２フレームメモリ６３の一方に一時的に蓄えると共に、他方からは蓄積した１種のフィールドデータを読み出す。尚、２種のフィールドデータには夫々、一画面を表示するための表示データが含まれている。画像信号処理回路３００は、読み出したフィールドデータに対して所定の処理を施す。この所定の処理の一例として、画像信号処理回路３００では、例えばフィールドデータをシリアル−パラレル変換して、Ｎ相（本実施形態では、Ｎ＝６、即ち、６相）の画像信号ＶＩＤｋ（但し、ｋ＝１、…、６）を生成することがある。更に、画像信号処理回路３００は、生成した画像信号ＶＩＤｋの電圧を、所定の基準電位Ｖ０に対して正極性及び負極性に反転した後、画像信号ＶＩＤｋを出力する。ここで、本実施形態では、後述するように、画像信号処理回路３００は、画像信号ＶＩＤｋとして、本発明に係る狭義の「画像信号」としての表示画像を表示するための画像信号に加え、本発明に係る「特定階調信号」の一例としての黒色を表示するための黒信号を液晶パネル１００に供給する。尚、画像信号処理回路３００は、黒信号に変えて、黒色とは異なる他の階調を表示するための階調信号を液晶パネル１００に供給するように構成されてもよい。
【００４８】
電源回路７００は、所定の共通電位ＬＣＣの共通電源を、図２を参照して上述した対向電極２１に供給する。対向電極２１は、図２に示す対向基板２０の下側に、複数の画素電極９と対向するように形成されている。
【００４９】
次に、本実施形態に係る液晶パネルの電気的な構成について、図４を参照して説明する。
【００５０】
図４は、本実施形態に係る液晶パネルの電気的な構成を示すブロック図である。尚、図４は、説明の便宜上、図１に示した液晶パネルを上下逆転させて図示している。
【００５１】
図４において、液晶パネル１００には、そのＴＦＴアレイ基板１０の周辺領域に、走査線駆動回路１０４及びデータ線駆動回路１０１を含む内部駆動回路が設けられている。
【００５２】
走査線駆動回路１０４は、具体的には後述するが、Ｙクロック信号ＣＬＹ、反転Ｙクロック信号ＣＬＹｉｎｖ及びＹスタートパルスＤＹが供給されることによって、基本的な線順次の水平走査が可能となっている。更に、走査線駆動回路１０４は、タイミング制御回路４００（図３参照）から供給されたイネーブル信号ＥＮＢ１、ＥＮＢ２及びＥＮＢ３に基づくタイミングで、後述するような順序で走査信号Ｇ１、Ｇ２、・・・、Ｇｙを出力する。
【００５３】
データ線駆動回路１０１は、サンプリング信号供給回路１０１ａ及びサンプリング回路１０１ｂを有している。サンプリング信号供給回路１０１ａには、Ｘクロック信号ＣＬＸ、反転Ｘクロック信号ＣＬＸｉｎｖ、及びＸスタートパルスＤＸが供給される。サンプリング信号供給回路１０１ａは、ＸスタートパルスＤＸが入力されると、Ｘクロック信号ＣＬＸ及び反転Ｘクロック信号ＸＣＬＸｉｎｖに基づくタイミングで、サンプリング信号Ｓ１、・・・、Ｓｘを順次生成して出力する。
【００５４】
サンプリング回路１０１ｂは、Ｐチャネル型又はＮチャネル型の片チャネル型ＴＦＴ若しくは相補型のＴＦＴから構成されたサンプリングスイッチ２０２を複数備えている。
【００５５】
液晶パネル１００は、そのＴＦＴアレイ基板の中央を占める画像表示領域１０ａに、縦横に配線されたデータ線１１４及び走査線１１２を備え、それらの交点に対応する各画素部７０に、マトリクス状に配列された液晶素子１１８の画素電極９及びこの画素電極９をスイッチング制御するためのＴＦＴ１１６を備えている。
【００５６】
尚、本実施形態では、走査線１１２の総本数をｙ本（但し、ｙは２以上の自然数）とし、データ線１１４の総本数をｘ本（但し、ｘは２以上の自然数）として説明する。
【００５７】
前述したように、例えば、６相にシリアル−パラレル展開された画像信号ＶＩＤ１〜ＶＩＤ６は夫々、画像信号線１７１を介して液晶パネル１００に供給される。
【００５８】
サンプリング回路１０１ｂにおいて、Ｎ個、本実施形態では６個のサンプリングスイッチ２０２を１群とし、１群に属するサンプリングスイッチ２０２には夫々、サンプリング信号Ｓｉ（ｉ＝１、２、・・・、ｘ）が入力される。１群に属するサンプリングスイッチ２０２は、Ｎ本、本実施形態では６本のデータ線１１４を１群とし、１群に属するデータ線１１４に対し、サンプリング信号Ｓｉに応じて、画像信号ＶＩＤｋをサンプリングして供給する。即ち、１群に属するサンプリングスイッチ２０２を介して、１群に属するデータ線１１４と画像信号線１７１が電気的に接続される。従って、本実施形態では、ｘ本のデータ線１１４を１群に属するデータ線１１４毎に駆動するため、駆動周波数が抑えられる。
【００５９】
図４中、一つの画素部７０の構成に着目すれば、ＴＦＴ１１６のソース電極には、画像信号ＶＩＤｋが供給されるデータ線１１４が電気的に接続されている一方、ＴＦＴ１１６のゲート電極には、走査信号Ｇｊ（但し、ｊ＝１、２、３、・・・、ｙ）が供給される走査線１１２が電気的に接続されると共に、ＴＦＴ１１６のドレイン電極には、液晶素子１１８の画素電極９が接続されている。ここで、各画素部７０において、液晶素子１１８は、画素電極９と対向電極２１との間に液晶を挟持してなる。従って、各画素部７０は、走査線１１２とデータ線１１４との各交点に対応して、マトリクス状に配列されることになる。
【００６０】
液晶素子１１８の画素電極９には、ＴＦＴ１１６を一定期間だけそのスイッチを閉じることにより、データ線１１４より画像信号ＶＩＤｋが所定のタイミングで供給される。これにより、液晶素子１１８には、画素電極９及び対向電極２１の各々の電位によって規定される印加電圧が印加される。液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として液晶パネル１００からは画像信号ＶＩＤｋに応じたコントラストをもつ光が出射する。
【００６１】
ここで、保持された画像信号がリークするのを防ぐために、蓄積容量１１９が、液晶素子１１８と並列に付加されている。例えば、液晶素子１１８の電圧は、ソース電圧が印加された時間よりも３桁も長い時間だけ蓄積容量１１９により保持されるので、保持特性が改善される結果、高コントラスト比が実現されることとなる。
【００６２】
次に、本実施形態に係る液晶装置の動作について、図１から図４に加えて図５から図１０を参照して説明する。
【００６３】
先ず、図１及び図４を参照して上述した走査線駆動回路１０４の詳細な構成について、図５を参照して説明する。
【００６４】
図５は、本実施形態に係る走査線駆動回路の構成の一例を示すブロック図である。
【００６５】
ここで、説明を簡単にするため、走査線１１２の総本数ｙ＝６とし、且つ、図５に示すように、画像表示領域１０ａを走査線１１２に沿う２本の分割線６００により３等分して得られる第１部分領域１０ａａ、第２部分領域１０ａｂ及び第３部分領域１０ａｃを領域走査する場合について、即ち、複数の部分領域の総数が３の場合における領域走査について説明する。
【００６６】
図５において、走査線駆動回路１０４は、Ｙクロック信号ＣＬＹ、反転Ｙクロック信号ＣＬＹｉｎｖ、及びＹスタートパルスＤＹが入力されるＹ側シフトレジスタ１０４ａと、６本の走査線１１２に対応する６つの論理回路からなる出力制御部１０４ｂとを有している。１つの論理回路は、例えばＮＡＮＤ回路６７及びＮＯＴ回路６８を含み、ＮＡＮＤ回路６７には、Ｙ側シフトレジスタ１０４ａからの一の出力信号と、３種のイネーブル信号ＥＮＢ１、ＥＮＢ２及びＥＮＢ３のうちいずれか１種のイネーブル信号とが入力される。また、各ＮＡＮＤ回路６７の出力信号は、ＮＯＴ回路６８を介して、対応する走査線１１２に走査信号Ｇ１、Ｇ２、Ｇ３、Ｇ４、Ｇ５及びＧ６として出力される。
【００６７】
次に、走査線駆動回路１０４の動作について、図６を参照して説明する。
【００６８】
図６は、走査線駆動回路１０４の動作について説明するためのタイミングチャートである。
【００６９】
図６に示すように、Ｙ側シフトレジスタ１０４ａからの出力信号ＳＲ１〜ＳＲ６は、第１部分領域１０ａａ、第２部分領域１０ａｂ及び第３部分領域１０ａｃをあたかも同時に水平走査するように、各部分領域の走査線１１２に対して同じタイミングで出力される。即ち、第１部分領域１０ａａ、第２部分領域１０ａｂ及び第３部分領域１０ａｃにおいて夫々第１番目に走査信号Ｇｊが供給される走査線１１２に対応する出力信号ＳＲ１、ＳＲ３及びＳＲ５と、第２番目に走査信号Ｇｊが供給される走査線１１２に対応する出力信号ＳＲ２、ＳＲ４及びＳＲ６とは、所定期間（例えばＹクロック信号ＣＬＹの周期の１／２倍の期間）毎に順次出力される。尚、ここでは走査線の総本数ｙ＝６として説明しているため、この場合に限って、出力信号ＳＲ１、ＳＲ３及びＳＲ５と、出力信号ＳＲ２、ＳＲ４及びＳＲ６とは、所定期間毎に交互に出力されることとなる。一方、イネーブル信号ＥＮＢ１，ＥＮＢ２及びＥＮＢ３は夫々、１／３所定期間（即ち、所定期間の１／３倍の期間）毎に交互にローレベルからハイレベルに立ち上がる。よって、出力信号ＳＲ１〜ＳＲ６のうち、イネーブル信号ＥＮＢ１、ＥＮＢ２及びＥＮＢ３のいずれかの立ち上がりタイミング時に出力された一つが論理回路において選択され、走査信号Ｇｊとして走査線１１２に出力される。その結果、図６に示すように、走査信号Ｇ１〜Ｇ６が夫々、走査線駆動回路１０４から、１／３所定期間毎に順番に出力されることとなる。図６に示す例では、走査信号Ｇ１〜Ｇ６は、走査信号Ｇ５、Ｇ３、Ｇ１、Ｇ６、Ｇ４、Ｇ２、…の順番で出力されている。
【００７０】
次に、本実施形態に係る画像信号処理回路による画像信号の供給について、図７及び図８を参照して説明する。
【００７１】
図７は、本実施形態における画像信号処理回路による、一の部分領域に対する画像信号の供給の一例を概念的に示す概念図であり、図８は、本実施形態における領域走査を概念的に示す概念図であり、図９は、図８における時刻Ｔ１での液晶パネルによって表示される画面のイメージを示す図である。
【００７２】
図７及び図８において、画像信号処理回路３００は、図５を参照して上述した部分領域１０ａａ、１０ａｂ及び１０ａｃの各々について、垂直同期信号Ｖｓによって規定される１フレーム期間を３個のフィールド期間（言い換えれば１／３フレーム期間）に分割し、この３個のフィールド期間のうち最初のフィールド期間を含む連続した２個のフィールド期間の各々において、表示データＶｎ（但し、ｎは、自然数）に基づく画像信号Ｖｎ（＋）或いはＶｎ（−）がデータ線１１４を介して画素部７０に供給されるように、画像信号ＶＩＤｋを生成して画像信号線１１７に供給する。尚、ここで、表示データＶｎは、第ｎフレーム期間において表示すべき画像に係る表示データである。画像信号Ｖｎ（＋）は、表示データＶｎに係る表示画像を表示するための画像信号であって、基準電位Ｖ０よりも高い正極性の電圧を有する画像信号である。画像信号Ｖｎ（−）は、表示データＶｎに係る表示画像を表示するための画像信号であって、基準電位Ｖ０よりも低い負極性の電圧を有する画像信号である。よって、画像信号Ｖｎ（＋)と画像信号Ｖｎ（−)とは互いに異なる極性を有する。更に、画像信号処理回路３００は、この３個のフィールド期間のうち最後の１個のフィールド期間において、黒色を表示するための黒信号Ｂ（＋）或いはＢ（−）が、データ線１１４を介して画素部７０に供給されるように、画像信号ＶＩＤｋを生成して画像信号線１１７に供給する。尚、黒信号Ｂ（＋）は、黒色を表示するための信号であって、基準電位Ｖ０よりも高い正極性の電圧を有する信号である。黒信号Ｂ（−）は、黒色を表示するための信号であって、基準電位Ｖ０よりも低い負極性の電圧を有する信号である。よって、黒信号Ｂ（＋)と黒信号Ｂ（−)とは互いに異なる極性を有する。加えて、画像信号処理回路３００は、画像信号ＶＩＤｋ（言い換えれば、画像信号Ｖｎ及び黒信号Ｂ）の基準電位Ｖ０に対する極性が、部分領域１０ａａ、１０ａｂ及び１０ａｃの各々について、１フィールド期間毎に反転すると共に３つの部分領域１０ａａ、１０ａｂ及び１０ａｃのうち互いに隣接する部分領域で互いに異なるように、画像信号ＶＩＤｋを供給する。これにより、例えば、図７及び図８に示すように、部分領域１０ａａでは、一の１フレーム期間における最初の１フィールド期間において、正極性の画像信号Ｖｎ（＋）がデータ線１１４に供給されつつ、垂直走査が行われ、次の１フィールド期間において、負極性の画像信号Ｖｎ（−）がデータ線１１４に供給されつつ、垂直走査が行われ、更に次の１フィールド期間において、正極性の黒信号Ｂ（＋）がデータ線１１４に供給されつつ、垂直走査が行われる。更に、部分領域１０ａａでは、一の１フレーム期間に続く他の１フレーム期間における最初の１フィールド期間において、負極性の画像信号Ｖｎ＋１（−）がデータ線１１４に供給されつつ、垂直走査が行われ、次の１フィールド期間において、正極性の画像信号Ｖｎ＋１（＋）がデータ線１１４に供給されつつ、垂直走査が行われ、更に次の１フィールド期間において、負極性の黒信号Ｂ（−）がデータ線１１４に供給されつつ、垂直走査が行われる。部分領域１０ａｂ及び１０ａｃについても、部分領域１０ａａと概ね��様に、正極性の画像信号Ｖｎ（＋）、負極性の画像信号Ｖｎ（−）、正極性の黒信号Ｂ（＋）、負極性の画像信号Ｖｎ＋１（−）、正極性の画像信号Ｖｎ＋１（＋）及び負極性の黒信号Ｂ（−）が、この順番で１フィールド期間毎にデータ線１１４に供給されつつ、垂直走査が行われる。
【００７３】
図９に示すように、例えば、図８における時刻Ｔ１では、画像表示領域１０ａに表示される一画面内に、負極性の画像信号Ｖｎ＋１（−）が画素部７０に供給される負極性画像領域Ｒ＿Ｖｎ＋１（−）と、正極性の黒信号Ｂ（＋）が画素部７０に供給される正極性黒領域Ｒ＿Ｂ（＋）と、負極性の画像信号Ｖｎ（−）が画素部７０に供給される負極性画像領域Ｒ＿Ｖｎ（−）と、正極性の画像信号Ｖｎ（＋）が画素部７０に供給される正極性画像領域Ｒ＿Ｖｎ（＋）とが存在することとなる。
【００７４】
よって、各部分領域１０ａａ、１０ａｂ及び１０ａｃでは、１フレーム期間において、表示データに係る表示画像が表示された後に、黒色画像が表示される。言い換えれば、各部分領域１０ａａ、１０ａｂ及び１０ａｃでは、一の１フレーム期間に表示すべき表示画像と、この一の１フレーム期間に続く他の１フレーム期間に表示すべき表示画像との間に、黒色画像が挿入される。従って、画像表示領域１０ａに動画像を表示する際、画像表示領域１０ａに表示される表示画像を人間の目で観察すると、１フレーム期間毎に、黒色画像によって表示画像がリセットさたかのように見える。言い換えれば、画像表示領域１０ａに動画像を表示する際、画像表示領域１０ａに表示される表示画像の残像感が強いことによって、例えば動きのある領域の輪郭部分がぼやけて見えるなどの動画ぼやけが生じてしまうことを低減できる。
【００７５】
更に、本実施形態では特に、各部分領域１０ａａ、１０ａｂ及び１０ａｃでは、１フレーム期間を３個に分割してなるフィールド期間毎に、上述の如く、極性が反転されて画像信号Ｖｎ及び黒信号Ｂが供給されるので、連続する２つの１フレーム期間では、各フィールド期間に供給される画像信号Ｖｎ及び黒信号Ｂの極性は互いに異なる。即ち、例えば、図７に示すように、一の部分領域では、第ｎフレーム期間における第１のフィールド期間に供給される画像信号Ｖｎ（＋）と、第ｎ＋１フレーム期間における第１のフィールド期間に供給される画像信号Ｖｎ＋１（−）とは互いに極性が異なり、第ｎフレーム期間における第２のフィールド期間に供給される画像信号Ｖｎ（−）と、第ｎ＋１フレーム期間における第２のフィールド期間に供給される画像信号Ｖｎ＋１（＋）とは互いに極性が異なり、第ｎフレーム期間における第３のフィールド期間に供給される黒信号Ｂ（＋）と、第ｎ＋１フレーム期間における第３のフィールド期間に供給される黒信号Ｂ（−）とは互いに極性が異なる。よって、例えば、一の１フレーム期間における表示画像と該一の１フレーム期間に続く他の１フレーム期間における表示画像とが殆ど或いは全く同じ場合であっても、画素部７０に一の極性に偏った不要な電荷が残留してしまうことを防止できる。更に、仮に黒信号Ｂが第ｎ及び第ｎ＋１フレーム期間で互いに同じ極性である場合において生じ得る、黒信号Ｂに起因する画素部７０における不要な電荷の残留を防止できる。従って、画素部に不要な電荷が残留することによる表示上の不具合の発生を防止できる。
【００７６】
再び図３に戻り、本実施形態では特に、変更部８００が設けられている。
【００７７】
変更部８００は、画像信号処理回路３００が、１フレーム期間が分割されてなるｎ個（但し、ｎは３以上の奇数）のフィールド期間のうち黒信号Ｂを画素部７０に供給するフィールド期間の個数を、例えばユーザからの指示に応じて、変更可能に構成されている。図７を参照して上述した例では、３個のフィールド期間のうち黒信号Ｂを供給するフィールド期間の個数は、１個である（即ち、１フレーム期間を分割してなる３個のフィールド期間のうち最後のフィールド期間のみにおいて黒信号が供給される）が、図１０に示すように、３個のフィールド期間のうち黒信号Ｂを供給するフィールド期間の個数を、２個とすることもできる（即ち、１フレーム期間を分割してなる３個のフィールド期間のうち最後のフィールド期間及びその直前の１フィールド期間において黒信号Ｂが供給されるようにすることもできる）。尚、図１０は、本実施形態における画像信号処理回路による、一の部分領域に対する画像信号の供給の他の例を概念的に示す概念図である。この場合、各部分領域では、正極性の画像信号Ｖｎ（＋）、負極性の黒信号Ｂ（−）、正極性の黒信号Ｂ（＋）、負極性の画像信号Ｖｎ＋１（−）、正極性の黒信号Ｂ（＋）及び負極性の黒信号Ｂ（−）が、この順番で１フィールド期間毎にデータ線１１４に供給されつつ、垂直走査が行われる。
【００７８】
よって、例えば、本実施形態に係る液晶装置を使用するユーザは、画像信号処理回路３００が１フレーム期間を構成する３個のフィールド期間のうち黒信号を供給するフィールド期間の個数を、変更部８００によって変更することができる。従って、例えば、動画ぼやけが殆ど或いは全く発生しない静止画像や動きが遅い動画像を表示する場合には、黒信号Ｂを供給するフィールド期間の個数を少なくする（或いはゼロにする）ことにより、画像の輝度を高めることができたり、動画ぼやけが発生しやすい動きが速い動画像を表示する場合には、黒信号Ｂを供給するフィールド期間の個数を多くすることにより、動画ぼやけを低減する効果を高めることができたりするなど、実践上大変便利である。
【００７９】
以上説明したように、本実施形態に係る液晶装置によれば、例えば領域走査駆動方式が採用された液晶装置において、動画ぼやけを低減でき、高品質な動画像を表示することができる。
【００８０】
尚、本実施形態では、画像信号処理回路３００を、図７を参照して上述したように、１フレーム期間を３個のフィールド期間に分割し、この３個のフィールド期間のうち最初のフィールド期間を含む連続した２個のフィールド期間の各々において、画像信号Ｖｎ（＋）或いはＶｎ（−）を画素部７０に供給すると共に、この３個のフィールド期間のうち最後の１個のフィールド期間において、黒信号Ｂ（＋）或いはＢ（−）を画素部７０に供給するように構成したが、画像信号処理回路３００を、１フレーム期間を３個のフィールド期間に分割し、この３個のフィールド期間のうち最初のフィールド期間とは異なる１又は２個のフィールド期間において、画像信号Ｖｎ（＋）或いはＶｎ（−）を画素部７０に供給すると共に、この３個のフィールド期間のうち最初のフィールド期間において、黒信号Ｂ（＋）或いはＢ（−）を画素部７０に供給するように構成してもよい。或いは、画像信号処理回路３００を、１フレーム期間を３個のフィールド期間に分割し、この３個のフィールド期間のうち最初のフィールド期間及び最後のフィールド期間において、画像信号Ｖｎ（＋）或いはＶｎ（−）を画素部７０に供給すると共に、この３個のフィールド期間のうち第２番目のフィールド期間（即ち、最初のフィールド期間の次のフィールド期間）において、黒信号Ｂ（＋）或いはＢ（−）を画素部７０に供給するように構成してもよい。即ち、画像信号処理回路３００は、１フレーム期間をｎ（但し、ｎは３以上の奇数）個のフィールド期間に分割し、このｎ個のフィールド期間のうち１個以上のフィールド期間において画像信号Ｖｎ（＋）或いはＶｎ（−）を画素部７０に供給すると共に、このｎ個のフィールド期間のうち画像信号が供給されるフィールド期間を除くフィールド期間に黒信号Ｂ（＋）或いはＢ（−）を画素部７０に供給するように構成されればよく、黒信号Ｂ（＋）或いはＢ（−）がｎ個のフィールド期間のうちいずれか１個以上のフレーム期間において画素部７０に供給されれば、黒信号Ｂ（＋）或いはＢ（−）が供給されるフィールド期間の個数やフレーム期間における位置によらず、上述した第１実施形態と同様に、動画ぼやけを低減できる。
【００８１】
＜第２実施形態＞
第２実施形態に係る液晶装置について、図１１から図１３を参照して説明する。
【００８２】
第２実施形態に係る液晶装置は、図４及び図５を参照して上述した走査線駆動回路１０４の構成が上述した第１実施形態に係る液晶装置と異なり、その他の点については、上述した第１実施形態に係る液晶装置と概ね同様に構成されている。
【００８３】
先ず、本実施形態に係る走査線駆動回路の詳細な構成について、図１１を参照して説明する。
【００８４】
図１１は、第２実施形態に係る走査線駆動回路の構成の一例を示すブロック図である。
【００８５】
図１１において、説明を簡単にするため、走査線１１２の総本数ｙ＝４とし、且つ、図１１に示すように、画像表示領域１０ａを走査線１１２に沿う１本の分割線６００により２等分して得られる第１部分領域１０ａａ及び第２部分領域１０ａｂを領域走査する場合について説明する。即ち、図５を参照して上述した第１実施形態では、複数の部分領域の総数が３であるのに対して、第２実施形態では、複数の部分領域の総数は２である。
【００８６】
図１１において、走査線駆動回路１０４は、Ｙクロック信号ＣＬＹ、反転Ｙクロック信号ＣＬＹｉｎｖ、及びＹスタートパルスＤＹが入力されるＹ側シフトレジスタ１０４ａと、４本の走査線１１２に対応する４つの論理回路からなる出力制御部１０４ｂとを有している。１つの論理回路は、例えばＮＡＮＤ回路６７及びＮＯＴ回路６８を含み、ＮＡＮＤ回路６７には、Ｙ側シフトレジスタ１０４ａからの一の出力信号と、２種のイネーブル信号ＥＮＢ１及びＥＮＢ２のうち一方のイネーブル信号とが入力される。また、各ＮＡＮＤ回路６７の出力信号は、ＮＯＴ回路６８を介して、対応する走査線１１２に走査信号Ｇ１、Ｇ２、Ｇ３、Ｇ４として出力される。
【００８７】
図１２は、第２実施形態に係る走査線駆動回路の動作について説明するためのタイミングチャートである。
【００８８】
図１２に示すように、Ｙ側シフトレジスタ１０４ａからの出力信号ＳＲ１〜ＳＲ４は、第１部分領域１０ａａ及び第２部分領域１０ａｂをあたかも同時に水平走査するように、各部分領域の走査線１１２に対して同じタイミングで出力される。即ち、第１部分領域１０ａａ及び第２部分領域１０ａｂにおいて夫々第１番目に走査信号Ｇｊが供給される走査線１１２に対応する出力信号ＳＲ１及びＳＲ３と、第２番目に走査信号Ｇｊが供給される走査線１１２に対応する出力信号ＳＲ２及びＳＲ４とは、単位期間毎に順次出力される。尚、ここでは走査線の総本数ｙ＝４として説明しているため、この場合に限って、出力信号ＳＲ１及びＳＲ３と、出力信号ＳＲ２及びＳＲ４とは、単位期間毎に交互に出力されることとなる。一方、イネーブル信号ＥＮＢ１及びＥＮＢ２は夫々、１／２単位期間（即ち、単位期間の１／２倍の期間）毎に交互にローレベルからハイレベルに立ち上がる。よって、出力信号ＳＲ１〜ＳＲ４のうち、イネーブル信号ＥＮＢ１及びＥＮＢ２のいずれかの立ち上がりタイミング時に出力された一つが論理回路において選択され、走査信号Ｇｊとして走査線１１２に出力される。その結果、図１２に示すように、走査信号Ｇ１〜Ｇ４が夫々、走査線駆動回路１０４から、１／２単位期間毎に順番に出力されることとなる。図６に示す例では、走査信号Ｇ１〜Ｇ４は、走査信号Ｇ１、Ｇ３、Ｇ２、Ｇ４、Ｇ１、Ｇ３、…の順番で出力されている。
【００８９】
次に、本実施形態に係る画像信号処理回路による画像信号の供給について、図１３及び図１４を参照して説明する。
【００９０】
図１３は、第２実施形態における領域走査を概念的に示す概念図であり、図１４は、図１３における時刻Ｔ２での液晶パネルによって表示される画面のイメージを示す図である。
【００９１】
本実施形態では、画像信号処理回路３００は、図１１を参照して上述した部分領域１０ａａ及び１０ａｂの各々について、図７を参照して上述した第１実施形態と概ね同様に、垂直同期信号Ｖｓによって規定される１フレーム期間を３個のフィールド期間（言い換えれば１／３フレーム期間）に分割し、この３個のフィールド期間のうち最初のフィールド期間を含む連続した２個のフィールド期間の各々において、表示データＶｎ（但し、ｎは、自然数）に基づく画像信号Ｖｎ（＋）或いはＶｎ（−）がデータ線１１４を介して画素部７０に供給されるように、画像信号ＶＩＤｋを生成して画像信号線１１７に供給する。更に、画像信号処理回路３００は、この３個のフィールド期間のうち最後の１個のフィールド期間において、黒色を表示するための黒信号Ｂ（＋）或いはＢ（−）が、データ線１１４を介して画素部７０に供給されるように、画像信号ＶＩＤｋを生成して画像信号線１１７に供給する。加えて、画像信号処理回路３００は、画像信号ＶＩＤｋ（言い換えれば、画像信号Ｖｎ及び黒信号Ｂ）の基準電位Ｖ０に対する極性が、部分領域１０ａａ及び１０ａｂの各々について、１フィールド期間毎に反転すると共に２つの部分領域１０ａａ及び１０ａｂ間で互いに異なるように、画像信号ＶＩＤｋを供給する。
【００９２】
これにより、例えば、図１３に示すように、部分領域１０ａａでは、一の１フレーム期間における最初の１フィールド期間において、正極性の画像信号Ｖｎ（＋）がデータ線１１４に供給されつつ、垂直走査が行われ、次の１フィールド期間において、負極性の画像信号Ｖｎ（−）がデータ線１１４に供給されつつ、垂直走査が行われ、更に次の１フィールド期間において、正極性の黒信号Ｂ（＋）がデータ線１１４に供給されつつ、垂直走査が行われる。更に、部分領域１０ａａでは、一の１フレーム期間に続く他の１フレーム期間における最初の１フィールド期間において、負極性の画像信号Ｖｎ＋１（−）がデータ線１１４に供給されつつ、垂直走査が行われ、次の１フィールド期間において、正極性の画像信号Ｖｎ＋１（＋）がデータ線１１４に供給されつつ、垂直走査が行われ、更に次の１フィールド期間において、負極性の黒信号Ｂ（−）がデータ線１１４に供給されつつ、垂直走査が行われる。部分領域１０ａｂでも、部分領域１０ａａと概ね同様に、正極性の画像信号Ｖｎ（＋）、負極性の画像信号Ｖｎ（−）、正極性の黒信号Ｂ（＋）、負極性の画像信号Ｖｎ＋１（−）、正極性の画像信号Ｖｎ＋１（＋）及び負極性の黒信号Ｂ（−）が、この順番で１フィールド期間毎にデータ線１１４に供給されつつ、垂直走査が行われる。
【００９３】
図１４に示すように、例えば、図１３における時刻Ｔ２では、画像表示領域１０ａに表示される一画面内に、負極性の画像信号Ｖｎ＋１（−）が画素部７０に供給される負極性画像領域Ｒ＿Ｖｎ＋１（−）と、正極性の黒信号Ｂ（＋）が画素部７０に供給される正極性黒領域Ｒ＿Ｂ（＋）と、負極性の画像信号Ｖｎ（−）が画素部７０に供給される負極性画像領域Ｒ＿Ｖｎ（−）とが存在することとなる。
【００９４】
よって、各部分領域１０ａａ及び１０ａｂでは、１フレーム期間において、表示データに係る表示画像が表示された後に、黒色画像が表示される。言い換えれば、各部分領域１０ａａ及び１０ａｂでは、一の１フレーム期間に表示すべき表示画像と、この一の１フレーム期間に続く他の１フレーム期間に表示すべき表示画像との間に、黒色画像が挿入される。
【００９５】
従って、第２実施形態に係る液晶装置によれば、上述した第１実施形態に係る液晶装置と概ね同様に、画像表示領域１０ａに動画像を表示する際、例えば動きのある領域の輪郭部分がぼやけて見えるなどの動画ぼやけが生じてしまうことを低減できる。
【００９６】
＜第３実施形態＞
第３実施形態に係る液晶装置について、図１５及び図１６を参照して説明する。
【００９７】
第３実施形態に係る液晶装置は、図３を参照して上述した画像信号処理回路３００が、後述する補正回路を有する点で、上述した第１実施形態に係る液晶装置と異なり、その他の点については、上述した第１実施形態に係る液晶装置と概ね同様に構成されている。
【００９８】
図１５は、本実施形態に係る画像信号処理回路が有する補正回路の構成を示すブロック図であり、図１６は、本実施形態に係る補正回路の補正処理を説明するための概念図である。
【００９９】
図１５において、本実施形態に係る補正回路３１０は、画像信号処理回路３００の一部として設けられており、画像信号に対して補正処理を施す。尚、補正回路３１０は、画像信号が画像信号処理回路３００において正極性或いは負極性に極性反転される前に、画像信号に対して補正処理を施す。
【０１００】
補正回路３１０は、ルックアップテーブル（ＬＵＴ）３１１と、選択回路３１２と、フィールドカウンタ３１３と、加算器３１４と、入力端子３１８と、出力端子３１９とを備えている。
【０１０１】
入力端子３１８には、極性反転される前の画像信号が入力される。入力端子３１８に入力された画像信号は、ＬＵＴ３１１及び加算器３１４に入力される。
【０１０２】
ＬＵＴ３１１は、画像信号の階調に対応する補正電圧を記憶しており、入力された画像信号に応じて補正電圧を出力する。補正電圧は、液晶素子１１８（図４参照）に含まれる液晶の応答速度を高めるための電圧（即ち、所謂オーバードライブ用の電圧）として、画像信号の階調と黒信号の階調との差に応じて予め定められている。
【０１０３】
フィールドカウンタ３１３は、フィールド期間の個数を数えるカウンタであり、例えば１フレーム期間毎に、該１フレーム期間における最初からフィールド期間毎にカウント数を１ずつ増加させる。フィールドカウンタ３１３は、カウント数を選択回路３１２に出力する。
【０１０４】
選択回路３１２は、フィールドカウンタ３１３から入力されるカウント数に基づいて、ＬＵＴ３１１から入力される補正電圧を選択的に加算器３１４に出力する。具体的には、選択回路３１２は、フィールドカウンタ３１３から入力されるカウント数が、１フレーム期間を分割してなるｎ個（本実施形態ではｎ＝３）のフィールド期間のうち最初のフィールド期間に相当するカウント数のときに、ＬＵＴ３１１から入力される補正電圧を加算器３１４に出力し、フィールドカウンタ３１３から入力されるカウント数が、１フレーム期間を分割してなるｎ個のフィールド期間のうち最初のフィールド期間以外のフィールド期間に相当するカウント数のときには、「０（ゼロ）」を出力する。
【０１０５】
加算器３１４は、選択回路３１２からの出力と、入力端子３１８から入力される画像信号とを加算して、出力端子３１９に出力する。よって、１フレーム期間を分割してなるｎ個のフィールド期間のうち最初のフィールド期間に供給すべき画像信号は、補正電圧が加算された補正済みの画像信号として出力端子３１９に出力される。１フレーム期間を分割してなるｎ個のフィールド期間のうち最初のフィールド期間を除く他のフィールド期間に供給すべき画像信号は、補正電圧が加算されず、そのまま画像信号として出力端子３１９に出力される。
【０１０６】
例えば、図１６に示すように、１フレーム期間を分割してなる３個のフィールド期間のうち最初のフィールド期間Ｔｆａに供給すべき画像信号Ｖ１には、補正電圧ｋ１が加算され、補正済みの画像信号に応じた電圧Ｖ１＋ｋ１が液晶素子１１８に印加される。また、同様に、次の１フレーム期間を分割してなる３個のフィールド期間のうち最初のフィールド期間Ｔｆｂに供給すべき画像信号Ｖ２には、補正電圧ｋ２が加算され、補正済みの画像信号に応じた電圧Ｖ２＋ｋ２が液晶素子１１８に印加される。即ち、１フレーム期間における最初のフィールド期間に所謂「オーバードライブ」を行う。よって、液晶素子１１８における液晶の見かけ上の或いは実質的な応答速度を高めることができ、表示領域に動画像を表示する際における動画ぼやけの発生を確実に低減できる。尚、図１６には、例えば液晶層５０の光透過率の変化等である光学応答の時間的な変化が示してある。フィールド期間Ｔｆａ及びＴｆｂでは、補正電圧ｋ１及びｋ２が夫々加算されることにより、光学応答の変化が大きくなる（即ち、液晶の見かけ上の応答速度が高まる）。
【０１０７】
ここで、本実施形態では特に、補正回路３１０は、画像信号の階調と黒信号の階調との差に応じて予め定められた補正電圧を、画像信号に加えることにより、画像信号を補正する。よって、例えば、一の１フレーム期間において画素部７０に供給すべき画像信号を、該一の１フレーム期間の直前の１フレーム期間に画素部７０に供給された画像信号（言い換えれば、直前の１フレーム期間において画像表示領域１０ａに表示された表示画像）に基づいて、所謂「オーバードライブ」等の補正を行う場合と比較して、例えば直前のフレーム期間に供給された画像信号を例えばメモリ等の記憶手段に記憶しておく必要がなく、補正回路３１０或いは画像信号処理回路３００全体をより簡易な構成とすることができる。
【０１０８】
＜電子機器＞
次に、上述した電気光学装置である液晶装置を各種の電子機器に適用する場合について説明する。
【０１０９】
先ず、この液晶装置をライトバルブとして用いたプロジェクタについて説明する。図１７は、プロジェクタの構成例を示す平面図である。この図１７に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６及び２枚のダイクロイックミラー１１０８によってＲＧＢの３原色に分離され、各原色に対応するライトバルブとしての液晶パネル１１１０Ｒ、１１１０Ｂ及び１１１０Ｇに入射される。
【０１１０】
液晶パネル１１１０Ｒ、１１１０Ｂ及び１１１０Ｇの構成は、上述した液晶パネル１００と同等であり、画像信号処理回路３００から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、Ｒ及びＢの光が９０度に屈折する一方、Ｇの光が直進する。従って、各色の画像が合成される結果、投射レンズ１１１４を介して、スクリーン等にカラー画像が投写されることとなる。
【０１１１】
ここで、各液晶パネル１１１０Ｒ、１１１０Ｂ及び１１１０Ｇによる表示像について着目すると、液晶パネル１１１０Ｇによる表示像は、液晶パネル１１１０Ｒ、１１１０Ｂによる表示像に対して左右反転することが必要となる。
【０１１２】
尚、液晶パネル１１１０Ｒ、１１１０Ｂ及び１１１０Ｇには、ダイクロイックミラー１１０８によって、Ｒ、Ｇ、Ｂの各原色に対応する光が入射するので、カラーフィルタを設ける必要はない。
【０１１３】
尚、図１７を参照して説明した電子機器の他にも、モバイル型のパーソナルコンピュータや、携帯電話、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等が挙げられる。そして、これらの各種電子機器に適用可能なのは言うまでもない。
【０１１４】
また本発明は、上述の実施形態で説明した液晶装置以外にも、シリコン基板上に素子を形成する反射型液晶装置（ＬＣＯＳ）、プラズマディスプレイ（ＰＤＰ）、電界放出型ディスプレイ（ＦＥＤ、ＳＥＤ）、有機ＥＬディスプレイ、デジタルマイクロミラーデバイス（ＤＭＤ）、電気泳動装置等にも適用可能である。
【０１１５】
本発明は、上述した実施形態に限られるものではなく、特許請求の範囲及び明細書全体から読み取れる発明の要旨或いは思想に反しない範囲で適宜変更可能であり、そのような変更を伴う電気光学装置、及び該電気光学装置を備えてなる電子機器もまた本発明の技術的範囲に含まれるものである。
【図面の簡単な説明】
【０１１６】
【図１】第１実施形態に係る液晶装置における液晶パネルの構成を示す平面図である。
【図２】図１のＨ−Ｈ’断面図である。
【図３】第１実施形態に係る液晶装置の全体構成を示すブロック図である。
【図４】第１実施形態に係る液晶パネルの電気的な構成を示すブロック図である。
【図５】第１実施形態に係る走査線駆動回路の構成の一例を示すブロック図である。
【図６】第１実施形態に係る走査線駆動回路の動作について説明するためのタイミングチャートである。
【図７】第１実施形態における画像信号処理回路による、一の部分領域に対する画像信号の供給の一例を概念的に示す概念図である。
【図８】第１実施形態における領域走査を概念的に示す概念図である。
【図９】図８における時刻Ｔ１での液晶パネルによって表示される画面のイメージを示す図である。
【図１０】第１実施形態における画像信号処理回路による、一の部分領域に対する画像信号の供給の他の例を概念的に示す概念図である。
【図１１】第２実施形態に係る走査線駆動回路の構成の一例を示すブロック図である。
【図１２】第２実施形態に係る走査線駆動回路の動作について説明するためのタイミングチャートである。
【図１３】第２実施形態における領域走査を概念的に示す概念図である。
【図１４】図１３における時刻Ｔ２での液晶パネルによって表示される画面のイメージを示す図である。
【図１５】第３実施形態に係る画像信号処理回路が有する補正回路の構成を示すブロック図である。
【図１６】第３実施形態に係る補正回路の補正処理を説明するための概念図である。
【図１７】電気光学装置を適用した電子機器の一例たるプロジェクタの構成を示す平面図である。
【符号の説明】
【０１１７】
９…画素電極、１０…ＴＦＴアレイ基板、１０ａ…画像表示領域、１０ａａ、１０ａｂ、１０ａｃ…部分領域、２１…対向電極、５０…液晶層、７０…画素部、１００…液晶パネル、１０１…データ線駆動回路、１０４…走査線駆動回路、１１２…走査線、１１４…データ線、１１６…ＴＦＴ、１１８…液晶素子、３００…画像信号処理回路、３１０…補正回路、３１１…ＬＵＴ、８００…変更部
【図１】
2010156856.tif 000003
【図２】
2010156856.tif 000004
【図３】
2010156856.tif 000005
【図４】
2010156856.tif 000006
【図５】
2010156856.tif 000007
【図６】
2010156856.tif 000008
【図７】
2010156856.tif 000009
【図８】
2010156856.tif 000010
【図９】
2010156856.tif 000011
【図１０】
2010156856.tif 000012
【図１１】
2010156856.tif 000013
【図１２】
2010156856.tif 000014
【図１３】
2010156856.tif 000015
【図１４】
2010156856.tif 000016
【図１５】
2010156856.tif 000017
【図１６】
2010156856.tif 000018
【図１７】
2010156856.tif 000019